【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
ローバンド部分とハイバンド部分とを含むオーディオ信号に対応するスペクトル情報に基づいて、前記オーディオ信号が、アーティファクト生成条件に対応する成分を含むことを決定すること、
前記オーディオ信号の前記ハイバンド部分に関連付けられた線スペクトル対（ＬＳＰ）間間隔に基づいてフィルタされたハイバンド出力を生成するために前記オーディオ信号の前記ハイバンド部分をフィルタリングすること、および
符号化された信号を生成すること、を具備し、
前記符号化された信号を生成することは、前記アーティファクト生成条件の可聴効果を低減するために、前記フィルタされたハイバンド出力に対応する第１のエネルギーと前記ローバンド部分に対応する第２のエネルギーとの比に基づいて利得情報を決定することを含む方法。
【請求項２】
前記オーディオ信号の前記ハイバンド部分をフィルタリングすることは、ＬＰＣフィルタされたハイバンド部分を生成するために前記オーディオ信号の前記ハイバンド部分に関連付けられた線形予測係数（ＬＰＣ）を用いて前記ハイバンド部分をフィルタリングすることを具備する請求項１に記載の方法。
【請求項３】
前記オーディオ信号のフレームに関連付けられたＬＳＰ間間隔を決定することをさらに具備する請求項１に記載の方法。
【請求項４】
前記フレームに関連付けられた前記ＬＳＰ間間隔は、前記フレームの線形予測コーディング（ＬＰＣ）中に生成された複数のＬＳＰに対応する複数のＬＳＰ間間隔のうちの最も小さいＬＳＰ間間隔である請求項３に記載の方法。
【請求項５】
前記フィルタリングすることは、適応重み付け係数を用いて行われ、前記方法は、前記フレームに関連付けられた前記ＬＳＰ間間隔に基づいて前記適応重み付け係数を決定することをさらに具備し、前記オーディオ信号の前記ハイバンド部分をフィルタリングすることは、前記適応重み付け係数をハイバンド線形予測係数に適用することを含み得る請求項３に記載の方法。
【請求項６】
前記フィルタリングすることは、適応重み付け係数を用いて行われ、前記適応重み付け係数の値は、ＬＳＰ間間隔値を前記適応重み付け係数の値に関連付けるマッピングに従って決定される請求項１に記載の方法。
【請求項７】
前記マッピングは、
線形マッピングであるか、
前記アーティファクト生成条件に対応する周波数またはサンプルレートのうちの少なくとも１つに基づいて適応可能であるか、
信号対雑音比であるか、
線形予測分析の後の予測利得であるか
のうちの１つである請求項５に記載の方法。
【請求項８】
前記オーディオ信号は、前記フレームに関連付けられた前記ＬＳＰ間間隔が第１のしきい値よりも小さいことに応じて、前記成分を含むことを決定される請求項３に記載の方法。
【請求項９】
前記フレームに関連付けられた前記ＬＳＰ間間隔と、前記オーディオ信号の少なくとも１つの他のフレームに関連付けられた少なくとも１つの他のＬＳＰ間間隔とに基づいて、平均ＬＳＰ間間隔を決定することをさらに具備する請求項３に記載の方法。
【請求項１０】
オーディオ信号のフレームに関連付けられた線スペクトル対（ＬＳＰ）間間隔と少なくとも１つのしきい値とを比較すること、
フィルタされたハイバンド出力を生成するために前記オーディオ信号のハイバンド部分をフィルタリングすること、前記フィルタリングすることは、前記比較の結果に少なくとも部分的に基づく、および
前記フィルタされたハイバンド出力に対応する第１のエネルギーと前記オーディオ信号のローバンド部分に対応する第２のエネルギーとの比に基づいて、利得情報を決定することを具備する方法。
【請求項１１】
前記フレームに関連付けられた前記ＬＳＰ間間隔を決定することをさらに具備し、
前記フレームに関連付けられた前記ＬＳＰ間間隔が、前記フレームの線形予測コーディング（ＬＰＣ）中に生成された複数のＬＳＰに対応する複数のＬＳＰ間間隔のうちの最も小さいＬＳＰ間間隔である請求項１０に記載の方法。
【請求項１２】
前記オーディオ信号の前記ハイバンド部分は、前記フレームに関連付けられた前記ＬＳＰ間間隔が第１のしきい値よりも小さいことに応じてフィルタされる請求項１１に記載の方法。
【請求項１３】
前記オーディオ信号の前記ハイバンド部分は、
前記フレームに関連付けられた前記ＬＳＰ間間隔が第１のしきい値よりも小さいこと、または
第２のしきい値よりも小さいことと、
平均ＬＳＰ間間隔が第３のしきい値よりも小さいこと、または前記オーディオ信号の他のフレームに対応するハイバンドフィルタリングが可能にされること、のうちの少なくとも１つとに応じてフィルタされ、
前記平均ＬＳＰ間間隔は、前記フレームに関連付けられた前記ＬＳＰ間間隔と、前記オーディオ信号の少なくとも１つの他のフレームに関連付けられた少なくとも１つの他のＬＳＰ間間隔とに基づき、
前記他のフレームは、前記オーディオ信号の前記フレームに先行する請求項１１に記載の方法。
【請求項１４】
ローバンド部分とハイバンド部分とを含むオーディオ信号に対応するスペクトル情報に基づいて、前記オーディオ信号が、アーティファクト生成条件に対応する成分を含むことを決定する手段と、
前記オーディオ信号の前記ハイバンド部分に関連付けられた線スペクトル対（ＬＳＰ）間間隔に基づいてフィルタされたハイバンド出力を生成するために前記オーディオ信号のハイバンド部分をフィルタリングする手段と、
符号化された信号を生成する手段と、を具備し、
前記符号化された信号を生成する手段は、前記アーティファクト生成条件の可聴効果を低減するために、前記フィルタされたハイバンド出力に対応する第１のエネルギーと前記ローバンド部分に対応する第２のエネルギーとの比に基づいて利得情報を決定する手段を含む装置。
【請求項１５】
コンピュータによって実行されたとき、前記コンピュータに、請求項１乃至１３のうちのいずれか１項に記載の方法を実行することを行わせる命令を具備する非一時的コンピュータ可読媒体。
【手続補正２】
【補正対象書類名】明細書
【補正対象項目名】００７８
【補正方法】変更
【補正の内容】
【００７８】
開示される実施形態の上記の説明は、開示される実施形態を当業者が作成または使用することを可能にするために与えられた。これらの実施形態への様々な変更は当業者には容易に明らかになり、本明細書で定義された原理は本開示の範囲から逸脱することなく他の実施形態に適用され得る。したがって、本開示は、本明細書に示された実施形態に限定されるものではなく、特許請求の範囲によって定義される原理および新規の特徴に一致する可能な最も広い範囲を与えられるべきである。
以下に、出願当初の特許請求の範囲に記載された発明を付記する。
［Ｃ１］
ローバンド部分とハイバンド部分とを含むオーディオ信号に対応するスペクトル情報に基づいて、前記オーディオ信号が、アーティファクト生成条件に対応する成分を含むことを決定すること、
フィルタされたハイバンド出力を生成するために前記オーディオ信号の前記ハイバンド部分をフィルタリングすること、および
符号化された信号を生成すること、を具備し、
前記符号化された信号を生成することは、前記アーティファクト生成条件の可聴効果を低減するために、前記フィルタされたハイバンド出力に対応する第１のエネルギーと前記ローバンド部分に対応する第２のエネルギーとの比に基づいて利得情報を決定することを含む方法。
［Ｃ２］
前記フィルタされたハイバンド出力は、前記利得情報を決定することを除いては使用されないＣ１に記載の方法。
［Ｃ３］
前記オーディオ信号の前記ハイバンド部分をフィルタリングすることは、前記オーディオ信号の前記ハイバンド部分に関連付けられた線形予測係数（ＬＰＣ）を用いて前記ハイバンド部分をフィルタリングすることを具備するＣ１に記載の方法。
［Ｃ４］
前記オーディオ信号を受信すること、
分析フィルタバンクにおいて前記オーディオ信号の前記ローバンド部分と前記オーディオ信号の前記ハイバンド部分とを生成すること、
前記ローバンド部分に基づいてローバンドビットストリームを生成すること、
前記ハイバンド部分、前記ローバンド部分に関連付けられたローバンド励起信号、または前記フィルタされたハイバンド出力のうちの少なくとも１つに基づいて、ハイバンドサイド情報を生成すること、および
前記符号化された信号に対応する出力ビットストリームを生成するために前記ローバンドビットストリームと前記ハイバンドサイド情報とを多重化することをさらに備えるＣ１に記載の方法。
［Ｃ５］
前記利得情報はフレーム利得情報を含み、前記ハイバンドサイド情報は前記フレーム利得情報を含むＣ４に記載の方法。
［Ｃ６］
前記フレーム利得情報は、前記ハイバンド部分にさらに基づいて生成され、
前記ハイバンドサイド情報は、
サブフレーム利得推定値に対応する時間利得情報であって、前記フィルタされたハイバンド出力に少なくとも部分的に基づいて生成される時間利得情報と、
前記ハイバンド部分に少なくとも部分的に基づいて生成された線スペクトル対（ＬＳＰ）とをさらに含むＣ５に記載の方法。
［Ｃ７］
前記オーディオ信号のフレームに関連付けられた線スペクトル対（ＬＳＰ）間間隔を決定することをさらに具備するＣ１に記載の方法。
［Ｃ８］
前記ＬＳＰ間間隔は、前記フレームの線形予測コーディング（ＬＰＣ）中に生成された複数のＬＳＰに対応する複数のＬＳＰ間間隔のうちの最も小さいＬＳＰ間間隔であるＣ７に記載の方法。
［Ｃ９］
前記フィルタリングすることは、適応重み付け係数を用いて行われ、前記方法は、前記ＬＳＰ間間隔に基づいて前記適応重み付け係数を決定することをさらに具備するＣ７に記載の方法。
［Ｃ１０］
前記オーディオ信号の前記ハイバンド部分をフィルタリングすることは、前記適応重み付け係数をハイバンド線形予測係数に適用することを含むＣ９に記載の方法。
［Ｃ１１］
前記適応重み付け係数の値は、ＬＳＰ間間隔値を前記適応重み付け係数の値に関連付けるマッピングに従って決定されるＣ９に記載の方法。
［Ｃ１２］
前記マッピングは、線形マッピングであるＣ１１に記載の方法。
［Ｃ１３］
前記マッピングは、前記アーティファクト生成条件に対応する周波数またはサンプルレートのうちの少なくとも１つに基づいて適応可能であるＣ１１に記載の方法。
［Ｃ１４］
前記マッピングは、信号対雑音比に基づいて適応可能であるＣ１１に記載の方法。
［Ｃ１５］
前記マッピングは、線形予測分析の後の予測利得に基づいて適応可能であるＣ１１に記載の方法。
［Ｃ１６］
前記オーディオ信号は、前記ＬＳＰ間間隔が第１のしきい値よりも小さいことに応じて、前記成分を含むことを決定されるＣ７に記載の方法。
［Ｃ１７］
前記フレームに関連付けられた前記ＬＳＰ間間隔と、前記オーディオ信号の少なくとも１つの他のフレームに関連付けられた少なくとも１つの他のＬＳＰ間間隔とに基づいて、平均ＬＳＰ間間隔を決定することをさらに具備するＣ７に記載の方法。
［Ｃ１８］
前記オーディオ信号は、
前記ＬＳＰ間間隔が第２のしきい値よりも小さいことと、
前記平均ＬＳＰ間間隔が第３のしきい値よりも小さいこと、または前記オーディオ信号の前記他のフレームに対応するフィルタリングが可能にされること、のうちの少なくとも１つとに応じて前記成分を含むことを決定され、
前記他のフレームは、前記オーディオ信号の前記フレームに先行するＣ１７に記載の方法。
［Ｃ１９］
オーディオ信号のフレームに関連付けられた線スペクトル対（ＬＳＰ）間間隔と少なくとも１つのしきい値とを比較すること、
前記比較することに少なくとも部分的に基づいて、フィルタされたハイバンド出力を生成するために前記オーディオ信号のハイバンド部分をフィルタリングすること、および
前記フィルタされたハイバンド出力に対応する第１のエネルギーと前記オーディオ信号のローバンド部分に対応する第２のエネルギーとの比に基づいて、利得情報を決定することを具備する方法。
［Ｃ２０］
前記オーディオ信号のフレームに関連付けられた線スペクトル対（ＬＳＰ）間間隔を決定することをさらに具備し、
前記ＬＳＰ間間隔が、前記フレームの線形予測コーディング（ＬＰＣ）中に生成された複数のＬＳＰに対応する複数のＬＳＰ間間隔のうちの最も小さいＬＳＰ間間隔であるＣ１９に記載の方法。
［Ｃ２１］
前記オーディオ信号の前記ハイバンド部分は、前記ＬＳＰ間間隔が第１のしきい値よりも小さいことに応じてフィルタされるＣ２０に記載の方法。
［Ｃ２２］
前記オーディオ信号の前記ハイバンド部分は、
前記ＬＳＰ間間隔が第２のしきい値よりも小さいことと、
平均ＬＳＰ間間隔が第３のしきい値よりも小さいこと、または前記オーディオ信号の他のフレームに対応するハイバンドフィルタリングが可能にされること、のうちの少なくとも１つとに応じてフィルタされ、
前記平均ＬＳＰ間間隔は、前記フレームに関連付けられた前記ＬＳＰ間間隔と、前記オーディオ信号の少なくとも１つの他のフレームに関連付けられた少なくとも１つの他のＬＳＰ間間隔とに基づき、
前記他のフレームは、前記オーディオ信号の前記フレームに先行するＣ２０に記載の方法。
［Ｃ２３］
前記ハイバンド部分をフィルタリングすることは、前記オーディオ信号の前記ハイバンド部分に関連付けられた線形予測係数（ＬＰＣ）を用いて前記ハイバンド部分をフィルタリングすることを具備するＣ１９に記載の方法。
［Ｃ２４］
前記ＬＳＰ間間隔に基づいて適応重み付け係数の値を決定することをさらに具備し、
前記フィルタリングすることは、前記適応重み付け係数の前記値を用いて行われるＣ１９に記載の方法。
［Ｃ２５］
前記ハイバンド部分をフィルタリングすることは、前記適応重み付け係数をハイバンド線形予測係数に適用することを含むＣ２４に記載の方法。
［Ｃ２６］
前記適応重み付け係数の前記値は、ＬＳＰ間間隔値を前記適応重み付け係数の値に関連付けるマッピングに従って決定されるＣ２４に記載の方法。
［Ｃ２７］
ローバンド部分とハイバンド部分とを含むオーディオ信号に対応するスペクトル情報に基づいて、前記オーディオ信号が、アーティファクト生成条件に対応する成分を含むことを決定する雑音検出回路と、
前記雑音検出回路に応答し、かつフィルタされたハイバンド出力を生成するために前記オーディオ信号の前記ハイバンド部分をフィルタリングするフィルタリング回路と、
前記アーティファクト生成条件の可聴効果を低減するために、前記フィルタされたハイバンド出力に対応する第１のエネルギーと前記ローバンド部分に対応する第２のエネルギーとの比に基づいて利得情報を決定する利得決定回路とを具備する装置。
［Ｃ２８］
前記オーディオ信号の前記ローバンド部分と前記オーディオ信号の前記ハイバンド部分とを生成する分析フィルタバンクと、
前記ローバンド部分に基づいてローバンドビットストリームを生成するローバンド分析モジュールと、
前記ハイバンド部分、前記ローバンド部分に関連付けられたローバンド励起信号、または前記フィルタされたハイバンド出力のうちの少なくとも１つに基づいて、ハイバンドサイド情報を生成するハイバンド分析モジュールと、
符号化された信号に対応する出力ビットストリームを生成するために、前記ローバンドビットストリームと前記ハイバンドサイド情報とを多重化するマルチプレクサと、をさらに具備するＣ２７に記載の装置。
［Ｃ２９］
前記利得情報はフレーム利得情報を含み、前記ハイバンドサイド情報は前記フレーム利得情報を含むＣ２８に記載の装置。
［Ｃ３０］
前記フレーム利得情報は、前記ハイバンド部分にさらに基づいて生成され、
前記ハイバンドサイド情報は、
サブフレーム利得推定値に対応する時間利得情報であって、前記フィルタされたハイバンド出力に少なくとも部分的に基づいて生成される時間利得情報と、
前記ハイバンド部分に少なくとも部分的に基づいて生成された線スペクトル対（ＬＳＰ）とをさらに含むＣ２９に記載の装置。
［Ｃ３１］
前記雑音検出回路は、前記オーディオ信号のフレームに関連付けられた線スペクトル対（ＬＳＰ）間間隔を決定し、
前記ＬＳＰ間間隔は、前記フレームの線形予測コーディング（ＬＰＣ）中に生成された複数のＬＳＰに対応する複数のＬＳＰ間間隔のうちの最も小さいＬＳＰ間間隔であるＣ２７に記載の装置。
［Ｃ３２］
前記フィルタリング回路は、適応重み付け係数をハイバンド線形予測係数に適用し、前記適応重み付け係数は前記ＬＳＰ間間隔に基づいて決定されるＣ３１に記載の装置。
［Ｃ３３］
ローバンド部分とハイバンド部分とを含むオーディオ信号に対応するスペクトル情報に基づいて、前記オーディオ信号が、アーティファクト生成条件に対応する成分を含むことを決定する手段と、
フィルタされたハイバンド出力を生成するために前記オーディオ信号のハイバンド部分をフィルタリングする手段と、
符号化された信号を生成する手段と、を具備し、
前記符号化された信号を生成する手段は、前記アーティファクト生成条件の可聴効果を低減するために、前記フィルタされたハイバンド出力に対応する第１のエネルギーと前記ローバンド部分に対応する第２のエネルギーとの比に基づいて利得情報を決定する手段を含む装置。
［Ｃ３４］
前記オーディオ信号の前記ローバンド部分と前記オーディオ信号の前記ハイバンド部分とを生成する手段と、
前記ローバンド部分に基づいてローバンドビットストリームを生成する手段と、
前記ハイバンド部分、前記ローバンド部分に関連付けられたローバンド励起信号、または前記フィルタされたハイバンド出力のうちの少なくとも１つに基づいて、ハイバンドサイド情報を生成する手段と、
前記符号化された信号に対応する出力ビットストリームを生成するために、前記ローバンドビットストリームと前記ハイバンドサイド情報とを多重化する手段とをさらに具備するＣ３３に記載の装置。
［Ｃ３５］
前記利得情報はフレーム利得情報を含み、前記ハイバンドサイド情報は前記フレーム利得情報を含むＣ３４に記載の装置。
［Ｃ３６］
前記フレーム利得情報は、前記ハイバンド部分にさらに基づいて生成され、
前記ハイバンドサイド情報は、
サブフレーム利得推定値に対応する時間利得情報であって、前記フィルタされたハイバンド出力に少なくとも部分的に基づいて生成される時間利得情報と、
前記ハイバンド部分に少なくとも部分的に基づいて生成された線スペクトル対（ＬＳＰ）とをさらに含むＣ３５に記載の装置。
［Ｃ３７］
前記決定する手段は、前記オーディオ信号のフレームに関連付けられた線スペクトル対（ＬＳＰ）間間隔を決定し、
、前記ＬＳＰ間間隔は、前記フレームの線形予測コーディング（ＬＰＣ）中に生成された複数のＬＳＰに対応する複数のＬＳＰ間間隔のうちの最も小さいＬＳＰ間間隔であるＣ３３に記載の装置。
［Ｃ３８］
コンピュータによって実行されたとき、前記コンピュータに、
ローバンド部分とハイバンド部分とを含むオーディオ信号に対応するスペクトル情報に基づいて、前記オーディオ信号が、アーティファクト生成条件に対応する成分を含むことを決定すること、
フィルタされたハイバンド出力を生成するために前記オーディオ信号の前記ハイバンド部分をフィルタリングすること、
符号化された信号を生成することを行わせる命令を具備し、
前記符号化された信号を生成することは、前記アーティファクト生成条件の可聴効果を低減するために、前記フィルタされたハイバンド出力に対応する第１のエネルギーと前記ローバンド部分に対応する第２のエネルギーとの比に基づいて利得情報を決定することを含む非一時的コンピュータ可読媒体。
［Ｃ３９］
前記フィルタされたハイバンド出力は、前記利得情報を決定することを除いては使用されないＣ３８に記載のコンピュータ可読媒体。
［Ｃ４０］
前記コンピュータに前記オーディオ信号の前記ハイバンド部分をフィルタリングすることを行わせるための前記命令は、前記コンピュータに、前記オーディオ信号の前記ハイバンド部分に関連付けられた線形予測係数（ＬＰＣ）を用いて前記ハイバンド部分をフィルタリングすることを行わせるための命令を具備するＣ３８に記載のコンピュータ可読媒体。